(57)【要約】【目的】  腐食の問題がなく、簡単に分解洗浄が可能な汁物用密閉容器を提供する。【構成】  汁物が入れられる内側容器１００と、この内側容器１００が収納される外側容器２００と、前記内側容器１００が収納された外側容器２００に取り付けられて、内側容器１００を外側容器２００に固定するストッパーリング３００と、前記内側容器１００を密閉する密閉蓋４００と、前記ストッパーリング３００に取り付けられて、前記密閉蓋４００で密閉された内側容器を覆う外蓋５００とを備えており、前記内側容器１００は合成樹脂製である。【選択図】      図１
2008035937.tif 000002
【特許請求の範囲】
【請求項１】
汁物が入れられる内側容器と、この内側容器が収納される外側容器と、前記内側容器が収納された外側容器に取り付けられて、内側容器を外側容器に固定するストッパーリングと、前記内側容器を密閉する密閉蓋とを具備しており、前記内側容器は合成樹脂製であることを特徴とする汁物用密閉容器。
【請求項２】
汁物が入れられる内側容器と、この内側容器が収納される外側容器と、前記内側容器が収納された外側容器に取り付けられて、内側容器を外側容器に固定するストッパーリングと、前記内側容器を密閉する密閉蓋と、前記ストッパーリングに取り付けられて、前記密閉蓋で密閉された内側容器を覆う外蓋とを具備しており、前記内側容器は合成樹脂製であることを特徴とする汁物用密閉容器。
【請求項３】
前記外側容器は、断熱性を有していることを特徴とする請求項１又は２記載の汁物用密閉容器。
【請求項４】
前記密閉蓋は、断熱性を有していることを特徴とする請求項１、２又は３記載の汁物用密閉容器。
【請求項５】
前記ストッパーリングは、外側容器の外周面に設けられた雄ねじ部に対応する雌ねじ部が設けられており、外側容器に取り付けられた状態では、内側容器のショルダー部に接触するか、内側容器を外側容器に対して押し付けていることを特徴とする請求項１、２、３又は４記載の汁物用密閉容器。
【請求項６】
前記密閉蓋は、外側容器に収納された内側容器を密閉すると同時に、ストッパーリングをも外側容器に対して固定することを特徴とする請求項１、２、３、４又は５記載の汁物用密閉容器。
【請求項７】
前記外蓋は、カップ兼用であることを特徴とする請求項１、２、３、４、５又は６記載の汁物用密閉容器。
【発明の詳細な説明】
【技術分野】
【０００１】
本発明は、スープや味噌汁等の汁物を保管する汁物用密閉容器に関する。
【背景技術】
【０００２】
例えば、この種の汁物用密閉容器としては、特開平１１−１９２１１８に開示されている保温弁当箱に内蔵されるものがある。
この汁物用密閉容器は、保温弁当箱の本体の収納室の最下部に収納されるものである。      
【０００３】
【特許文献１】特開平１１−１９２１１８
【発明の開示】
【発明が解決しようとする課題】
【０００４】
しかしながら、保温用弁当箱のうち、特に小型のものでは、汁物用密閉容器は省かれることが多い。この場合、保温用弁当箱とは別体の汁物用密閉容器が用いられことが多い。また、保温用弁当箱を使用していない者であっても、汁物だけは暖かいものが食べたいとして前記別体の汁物用密閉容器を使用する者もいる。
【０００５】
汁物用密閉容器としては、魔法瓶構造の小型のものがあるが、汁物を入れる部分が金属製のものが多く、腐食に対して問題を残していた。また、この汁物を入れる金属で構成された部分が周囲の合成樹脂製の本体に固定的に取り付けられているため、洗浄、衛生の面で問題があった。
【０００６】
本発明は、上記事情に鑑みて創案されたもので、腐食の問題がなく、簡単に分解洗浄が可能な汁物用密閉容器を提供することを目的としている。
【課題を解決するための手段】
【０００７】
本発明に係る汁物用密閉容器は、汁物が入れられる内側容器と、この内側容器が収納される外側容器と、前記内側容器が収納された外側容器に取り付けられて、内側容器を外側容器に固定するストッパーリングと、前記内側容器を密閉する密閉蓋とを備えており、前記内側容器は合成樹脂製である。
【０００８】
また、本発明に係る他の汁物用密閉容器は、汁物が入れられる内側容器と、この内側容器が収納される外側容器と、前記内側容器が収納された外側容器に取り付けられて、内側容器を外側容器に固定するストッパーリングと、前記内側容器を密閉する密閉蓋と、前記ストッパーリングに取り付けられて、前記密閉蓋で密閉された内側容器を覆う外蓋とを備えており、前記内側容器は合成樹脂製である。
【０００９】
前記外側容器は、断熱性を有していることが望ましい。
【００１０】
また、前記密閉蓋は、断熱性を有していることが望ましい。
【００１１】
前記ストッパーリングは、外側容器の外周面に設けられた雄ねじ部に対応する雌ねじ部が設けられており、外側容器に取り付けられた状態では、内側容器のショルダー部に接触するか、内側容器を外側容器に対して押し付けるようになっている。
【００１２】
さらに、前記密閉蓋は、外側容器に収納された内側容器を密閉すると同時に、ストッパーリングをも外側容器に対して固定するようになっている。
【００１３】
前記外蓋は、カップ兼用である。
【発明の効果】
【００１４】
本発明に係る汁物用密閉容器は、汁物を入れ内側容器は合成樹脂製であるので、腐食に対しての問題は完全に解消した。また、この汁物用密閉容器は、簡単に各部品に分解できる構造になっているので、洗浄が容易で衛生面でもまったく問題がない。
【００１５】
また、外側容器や密閉蓋が、断熱性を有していると、暖かい汁物は暖かい状態が保たれ、冷たい汁物は冷たい状態が保たれるのである。
【００１６】
さらに、ストッパーリングは、外側容器の外周面に設けられた雄ねじ部に対応する雌ねじ部が設けられており、外側容器に取り付けられた状態では、内側容器のショルダー部に接触するか、内側容器を外側容器に対して押し付けるようになっているので、密閉蓋を取り外した状態では、内側容器は外側容器から外れることはないので、外側容器に内側容器を収納したままの状態で、汁物を飲食しても、内側容器が外れないので、安全性が高いというメリットがある。
【００１７】
また、前記密閉蓋は、外側容器に収納された内側容器を密閉すると同時に、ストッパーリングをも外側容器に対して固定するようになっているので、密閉蓋を閉めた状態は、より確実に内側容器は外側容器に固定的に収納され、安全である。
【００１８】
前記外蓋がカップ兼用であると飲食の際に大変便利である。                            
【発明を実施するための最良の形態】
【００１９】
図１は本発明の実施の形態に係る汁物用密閉容器の概略的一部断面図、図２は本発明の実施の形態に係る汁物用密閉容器の要部の概略的一部断面図、図３は本発明の実施の形態に係る汁物用密閉容器を構成する内側容器の概略的一部断面図、図４は本発明の実施の形態に係る汁物用密閉容器を構成する外側容器の概略的一部断面図、図５は本発明の実施の形態に係る汁物用密閉容器を構成するストッパーリングの概略的一部断面図、図６は本発明の実施の形態に係る汁物用密閉容器を構成する密閉蓋の概略的分解一部断面図、図７は本発明の実施の形態に係る汁物用密閉容器を構成する外蓋の概略的断面図、図８は本発明の実施の形態に係る汁物用密閉容器で汁物を飲食する状態を示す概略的断面図である。
【００２０】
本発明の実施の形態に係る汁物用密閉容器は、汁物が入れられる内側容器１００と、この内側容器１００が収納される外側容器２００と、前記内側容器１００が収納された外側容器２００に取り付けられて、内側容器１００を外側容器２００に固定するストッパーリング３００と、前記内側容器１００を密閉する密閉蓋４００と、前記ストッパーリング３００に取り付けられて、前記密閉蓋４００で密閉された内側容器を覆う外蓋５００とを備えており、前記内側容器１００は合成樹脂製である。
【００２１】
本発明の実施の形態に係る汁物用密閉容器が想定している汁物としては、味噌汁、お吸い物、コンソメスープ、ポタージュスープの通常の意味で使用する汁物のみならず、汁気が多い副食、例えば、カレー、肉じゃが、麻婆豆腐や、トマト等のみずみずしい野菜、果物等を含むものとする。
【００２２】
前記内側容器１００は、例えば、ポリプロピレン等の合成樹脂であり、洗浄が容易でかつ臭いのつきにくい素材で成形されている。この内側容器１００は、図３等に示すように、直径が約８０〜１００ｍｍ程度の有底円筒形状に設定されている。かかる内側容器１００の開放された上端縁部は、他の部分より若干径細に絞られており、その外側には後述する密閉蓋４００が螺合される雄ねじ１１０が形成されている。
なお、この内側容器１００は合成樹脂で成形されているため、収納された汁物を食べる際に、内側容器１００に口を直接つけたとしても火傷しにくいというメリットもある。
【００２３】
前記内側容器１００の他の部分より若干径細になった部分は、後述するストッパーリング３００によって、外側容器２００に押し付けられるためのショルダー部１２０となっている。
【００２４】
前記外側容器２００は、図４等に示すように、有底円筒形状に形成されている。かかる外側容器２００は、内側に前記内側容器１００を収納するものであるから、内径は、内側容器１００の外径より若干大きめに設定されている。そして、この外側容器２００は、有底円筒形状のステンレス製の内壁部２１０と、ステンレス製の外壁部２２０とから構成されている。
前記内壁部２１０は、内径が前記内側容器１００の外径より若干大きめに設定されている。また、前記外壁部２２０は、前記内壁部２１０より大径に設定されている。
なお、内壁部２１０と外壁部２２０との間は、真空になっている。この真空断熱によって、内側容器１００に入れられた汁物を保温するようになっている。
【００２５】
このように構成された外側容器２００の上端の外周面、すなわち外壁部２２０の上端の外周面には、前記ストッパーリング３００が螺合される雄ねじ部２４０が設けられている。
【００２６】
前記ストッパーリング３００は、平面視略リング状の合成樹脂部品であって、外側容器２００に対応した大径部３１０と、内側容器１００に対応した小径部３２０と、大径部３１０と小径部３２０とをつなぐ中間部３３０とが一体に形成されている。
【００２７】
前記大径部３１０の下端部の内側には、前記外側容器２００の雄ねじ部１１０に対応した雌ねじ部３４０が設けられている。また、この大径部３１０の上端部の外側には、後述する外蓋５００の雌ねじ５２０が対応する雄ねじ３５０が設けられている。
【００２８】
一方、前記小径部３２０の内側には、外側容器２００に収納された内側容器１００のショルダー部１２０に対応する押さえ部３６０が設けられている。この押さえ部３６０は、外側容器２００に完全に収納された内側容器１００のショルダー部１２０を押さえ込むものであって、外側容器２００にストッパーリング３００を完全に取り付けることによって、前記ショルダー部１２０を押さえ込むようになっている。
【００２９】
さらに、前記中間部３３０は、テーパ面となっており、中間部３３０の上端部の内側は、ストッパーリング３００が完全に外側容器２００に取り付けられると、外側容器２００の上端縁部が接するようになっている。  
【００３０】
なお、前記ストッパーリング３００は、合成樹脂、例えば、ポリプロピレンから成形されている。
【００３１】
前記密閉蓋４００は、内側容器１００を密閉するものであって、図６等に示すように、内側容器１００に入り込む凸部４１１が設けられた内側蓋４１０と、この内側蓋４１０に外嵌される外側蓋４２０と、前記凸部４１１の内側に格納される断熱材４３０とを有している。
【００３２】
前記内側蓋４１０は、例えば、ポリプロピレン等の合成樹脂から成形されており、内側容器１００の開口部から内側に入り込む凸部４１１と、前記内側容器１００の上端部が入り込むギャップ４１５を空けて前記凸部４１１の上端から垂下された垂下部４１２とが一体に成形されたものである。
【００３３】
前記凸部４１１は、密閉蓋４００が内側容器１００を密閉した場合、内側容器１００の他の部分より若干径細に絞られた部分の内側に位置する程度のサイズに設定されている。この凸部４１１は、内側に断熱材４３０を格納する部分である。
【００３４】
一方、前記垂下部４１２の内側には、内側容器１００の雄ねじ１１０に螺合する雌ねじ４１３が設けられている。また、この垂下部４１２の下端部には、後述する内側蓋４２０を係止するための係止部４１４が外側に向かって形成されている。
【００３５】
また、前記ギャップ４１５には、密閉蓋４００が内側容器１００を密閉した場合、内側容器１００の上端が接触するＯリング４９０（図１及び図２参照）が嵌め込まれている。
【００３６】
外側蓋４２０は、略カップ状に形成されており、前記内側蓋４１０に外嵌されるようになっている。すなわち、下端部内側には、前記係止部４１４に対応した凸脈４２１が形成されており、外側蓋４２０はスナップアクションによって内側蓋４１０に外嵌固定されるようになっている。
【００３７】
なお、前記凸部４１１の内側に格納される断熱材４３０としては例えば、ポリスチレンの発泡体が用いられる。
【００３８】
かかる密閉蓋４００は、内側蓋４１０の凸部４１１の内側に断熱材４３０を格納した上端で、上側から外側蓋４２０をスナップアクションによって固定し、一体としたものであり、内側容器１００を完全に密閉し、内部に入れた汁物が外部に漏れでないようにする。
【００３９】
前記外蓋５００は、図７等に示すように、汁物用密閉容器の上部に取り付けられる略カップ状のものであって、カップとしても兼用可能なように外側に向かった把手５１０が設けられている。かかる外蓋５００の下端内側には、前記ストッパーリング３００の雄ねじ３５０に対応した雌ねじ５２０が形成されている。
【００４０】
なお、この外蓋５００は、合成樹脂、例えば、ポリプロピレンから成形されている。
【００４１】
上述したような各部品から構成される汁物用密閉容器は、以下のようにして組み立てられる。
まず、外側容器２００に内側容器１００を収納する。すると、内側容器１００は、外側容器２００の他の部分より若干径細に絞られた部分は、外側容器２００から飛び出すようにして外側容器２００に収納される。
【００４２】
この状態でストッパーリング３００を外側容器２００に取り付ける。すなわちストッパーリング３００の雌ねじ部３４０と、外側容器２００の雄ねじ部２４０とを螺合させるのである。すると、ストッパーリング３００の押さえ部３６０が内側容器１００のショルダー部１２０を押さえ込むことで、内側容器１００は外側容器２００から外れない、すなわち固定されることになる。
【００４３】
なお、汁物はこの状態で内側容器１００に入れるのが最もよい。ストッパーリング３００を螺合する前であると、ストッパーリング３００の螺合時に汁物が溢れでるおそれがあり、また、汁物を入れた内側容器１００を外側容器２００に収納すると汁物をこぼすおそれが高いからである。
【００４４】
次に、密閉蓋４００によって内側容器１００を密閉する。すなわち、内側容器１００の内側に凸部４１１を挿入しつつ、内側容器１００の雄ねじ１１０と、密閉蓋４００の雌ねじ４１３とを螺合させる。これによって、内側容器１００は完全に密閉され、内側容器１００に入れられた汁物は溢れなくなる。また、外側容器２００の真空断熱と、密閉蓋４００の断熱材４３０とによって、汁物は保温されることになる。すなわち、暖かい汁物は暖かい状態が保たれ、冷たい汁物は冷たい状態が保たれるのである。
【００４５】
さらに、外蓋５００の雌ねじ５２０とストッパーリング３００の雄ねじ３５０をとを螺合させて、外蓋５００を取り付ける。
【００４６】
分解する際は、上述の組立手順とは逆の手順にて行う。
飲食する際は、図８に示すように、外蓋５００及び密閉蓋４００を取り外し、汁物をカップ兼用の外蓋５００に注ぐ。または、外蓋５００に注がずにそのまま飲食することも可能である。
【００４７】
上述した実施の形態で説明した汁物用密閉容器は、カップ兼用の外蓋５００を有するものとしたが、外蓋５００がないバージョンも本発明に係る汁物用密閉容器に含まれることはもちろんである。
【００４８】
また、各部品の素材は上述したものに限定されることなく、要求される機能に応じた素材を適宜選択して使用することができることもいうまでもない。
【図面の簡単な説明】
【００４９】
【図１】本発明の実施の形態に係る汁物用密閉容器の概略的一部断面図である。
【図２】本発明の実施の形態に係る汁物用密閉容器の要部の概略的一部断面図である。
【図３】本発明の実施の形態に係る汁物用密閉容器を構成する内側容器の概略的一部断面図である。
【図４】本発明の実施の形態に係る汁物用密閉容器を構成する外側容器の概略的一部断面図である。
【図５】本発明の実施の形態に係る汁物用密閉容器を構成するストッパーリングの概略的一部断面図である。
【図６】本発明の実施の形態に係る汁物用密閉容器を構成する密閉蓋の概略的分解一部断面図である。
【図７】本発明の実施の形態に係る汁物用密閉容器を構成する外蓋の概略的断面図である。
【図８】本発明の実施の形態に係る汁物用密閉容器で汁物を飲食する状態を示す概略的断面図である。
【符号の説明】
【００５０】
１００    内側容器
２００    外側容器
３００    ストッパーリング
４００    密閉蓋
５００    外蓋
【図１】
2008035937.tif 000003
【図２】
2008035937.tif 000004
【図３】
2008035937.tif 000005
【図４】
2008035937.tif 000006
【図５】
2008035937.tif 000007
【図６】
2008035937.tif 000008
【図７】
2008035937.tif 000009
【図８】
2008035937.tif 000010